(57)【要約】【課題】受信状態が悪化した場合に、ユーザに対して音声を極力提供し、受信状態が頻繁に変化してもユーザに不快な音声を提供することがないデジタル放送受信機を与える。【解決手段】本発明のデジタル放送受信機は、デジタル変調された放送波を受信及び復調して得られた音声信号を、デコードして再生するデジタル放送受信機において、出力音声の音量は、音声信号のビットエラーレートがある閾値を超えた状態になると、第１時定数で減少し、その後、ビットエラーレートが閾値を下回った状態になると、第１時定数と異なる第２時定数で増加するように調整されることを特徴とする。第２時定数は第１時定数よりも大きく、閾値は、音声信号が不連続になるようなビットエラーレートの値よりも若干小さく設定されるのが好ましい。【選択図】図１
2006324711.tif 000002
【特許請求の範囲】
【請求項１】
デジタル変調された放送波を受信及び復調して得られた音声信号を、デコードして再生するデジタル放送受信機において、
出力音声の音量は、前記音声信号のビットエラーレートがある閾値を超えた状態になると、第１時定数で減少し、その後、前記ビットエラーレートが前記閾値を下回った状態になると、前記第１時定数と異なる第２時定数で増加するように調整されることを特徴とするデジタル放送受信機。
【請求項２】
前記第２時定数は前記第１時定数よりも大きい、請求項１に記載のデジタル放送受信機。
【請求項３】
前記閾値は、訂正できないエラーが発生して前記音声信号が不連続になるような前記ビットエラーレートの値よりも、若干小さく設定される、請求項１又は請求項２に記載のデジタル放送受信機。
【請求項４】
デジタル変調された放送波を受信及び復調して得られた音声信号を、デコードして再生するデジタル放送受信機において、
設定された複数の閾値の各々について、出力音声の音量は、前記音声信号のビットエラーレートがその閾値を超えた状態になると、第１時定数で減少し、その後、前記ビットエラーレートがその閾値を下回った状態になると、第２時定数で増加するように調整され、
前記第１時定数及び前記第２時定数は、前記複数の閾値の各々について設定されることを特徴とするデジタル放送受信機。
【請求項５】
前記第１時定数及び前記第２時定数は、夫々に対応する閾値が増加するにつれて小さくなる、請求項４に記載のデジタル放送受信機。
【請求項６】
前記音量は、所定の上限値と下限値の間で変化する、請求項１乃至５の何れかに記載のデジタル放送受信機。
【請求項７】
周囲の雑音レベルに応じて前記下限値が変化する、請求項６に記載のデジタル放送受信機。
【発明の詳細な説明】
【技術分野】
【０００１】
本発明は、デジタルＴＶ放送やデジタルラジオ放送を受信するデジタル放送受信機に関する。
【背景技術】
【０００２】
近年、地上波を用いたＴＶ放送やラジオ放送のデジタル化が進んでおり、それらに対応したデジタル放送受信機が急速に普及しつつある。地上波デジタル放送では、ＢＳデジタル放送とは異なって、建築物や山などにより電波が遮蔽や反射されることから、電界強度の低下や干渉等の受信障害が生じ易い。その一方で、デジタル放送は、正常な受信が困難になると、アナログ放送とは異なり、急激に映像又は音声の正常な再生が難しくなる。また、自動車等の移動体に搭載される地上波デジタル放送受信機では、移動体の移動に伴って受信状況が変化するという問題がある。
【０００３】
電波の正常な受信が困難になると、受信信号の復調後におけるエラーが増加して、あるビットエラーレート(ＢＥＲ)を境にして急激にエラー訂正が困難になり、最終的には、ベースバンドの音声信号又は映像信号が破綻して、ノイズになって出力される。地上波デジタル放送受信機の性能を向上する試みが進められている一方で、復調後のエラーが増加した際の対策も行われている。従来のデジタル放送受信機では、例えば、受信信号の復調後におけるエラーが増えると、音声をミュートすること、又は、映像をフリーズすることが行われている(例えば、特許文献１参照)。
【０００４】
【特許文献１】特開２００４−２０８０６６公報
【発明の開示】
【発明が解決しようとする課題】
【０００５】
しかしながら、エラーが検出されてから出力された音声をミュートすると、エラーの増加に間に合わずに、不快な雑音が出力される事態が生じる。また、ＢＥＲが所定の閾値を超えると音声をミュートする手法を採用する場合、実際にエラーが発生して不快な雑音が発生するＢＥＲ値に対して、ある程度のマージンを設けて閾値を設定する必要がある。従って、ＢＥＲが、閾値と不快な雑音が発生する値との間にある場合、音声信号が正常に再生されるのにも拘わらず、ユーザに音声が提供されない事態が生じてしまう。さらに、この手法では、閾値を跨いでＢＥＲが頻繁に変化すると、オン・オフが繰り返されることによって、出力される音声は、非常に聞き取り難くなってしまう。
【０００６】
本発明は、上記の問題を解決するものであり、受信状態が悪化した場合でも、ユーザに音声を提供し、受信状態が頻繁に変化しても、ユーザに聞き取り難い不快な音声を提供することがないデジタル放送受信機を与えるものである。
【課題を解決するための手段】
【０００７】
本発明のデジタル放送受信機は、デジタル変調された放送波を受信及び復調して得られた音声信号を、デコードして再生するデジタル放送受信機において、出力音声の音量は、前記音声信号のビットエラーレートがある閾値を超えた状態になると、第１時定数で減少し、その後、前記ビットエラーレートが前記閾値を下回った状態になると、前記第１時定数と異なる第２時定数で増加するように調整されることを特徴とする。なお、前記第２時定数は前記第１時定数よりも大きいことが好ましい。
【０００８】
また、本発明のデジタル放送受信機は、デジタル変調された放送波を受信及び復調して得られた音声信号を、デコードして再生するデジタル放送受信機において、設定された複数の閾値の各々について、出力音声の音量は、前記音声信号のビットエラーレートがその閾値を超えた状態になると、第１時定数で減少し、その後、前記ビットエラーレートがその閾値を下回った状態になると、第２時定数で増加するように調整され、前記第１時定数及び前記第２時定数は、前記複数の閾値の各々について設定されることを特徴とする。なお、前記第１時定数及び前記第２時定数は、夫々に対応する閾値が増加するにつれて小さくなって、前記ビットエラーレートが大きくなると、音量の変化がより急になるのが好ましい。
【発明の効果】
【０００９】
本発明によれば、受信機の受信状態が悪化した場合に、設定された時定数に基づいて、出力音声の音量を緩やかに変化させることで、不連続な聞き取り難い不快な音声がユーザに提供されることはない。さらに、受信状態が悪化しても、音声がいきなり聞こえなくなる事態は起こらずに、小さい音量ながらも音声はユーザに提供される。さらに、音量を戻す、即ち増加させる際の時定数を、音量を減少させる際の時定数よりも大きくすることで、ビットエラーレートが頻繁に増減を繰り返す状況下において、音量の時間変化が少なくなって、ユーザの不快感又は疲労感が低減される。
【００１０】
このような閾値を複数設定し、さらに各閾値に応じて時定数を設定することで、より細やかに、出力音声の音量を調整できる。特に、閾値の増加に伴って、対応する時定数を小さくすると、ビットエラーレートが悪化するとより速やかに音量が減少し、ビットエラーレートが良化すると、より速やかに音量が増加する。なお、音量が小さい状態にて、その変化が急になるので、不快感又は疲労感がユーザにもたらされることはない。
【発明を実施するための最良の形態】
【００１１】
以下、本発明を図を用いて説明する。図１は、本発明の実施例である地上波デジタル放送受信機(以下、「受信機」と称す)の概要を示すブロック図である。受信機は車載用であって、自動車や列車等の移動体に搭載されて、テレビジョン放送を受信及び再生する。フェージングの影響を低下させるために、受信機には、マスター側とスレーブ側の２つのフロントエンド(1)(3)が設けられて、スペースダイバーシチー受信が行われる。これらフロントエンド(1)(3)には夫々受信用アンテナ(5)(7)が接続されており、これらアンテナ(5)(7)は、車両にて(例えば半波長以上)離間して配置される。本実施例では、２つのフロントエンド(1)(3)が設けられているが、受信機には、３つ以上のフロントエンドが設けられてもよい。また、１つのフロントエンドを有しており、スペースダイバーシチー受信を行わない受信機に、本発明が適用されてもよい。
【００１２】
本実施例の受信機は、ＢＳＴ−ＯＦＤＭ(BandSegmented Transmission-Orthogonal Frequency Division Multiplexing)方式に基づく地上波デジタル放送を受信する。しかしながら、本発明は、放送方式に限定されることなく実施することができ、例えばＣＯＦＤＭ(Coded Orthogonal Frequency Division  Multiplexing )方式や８ＶＳＤ(Vestigial Side Band)方式等に基づくデジタル放送を受信する受信機に適用されてよく、さらには、デジタルラジオ放送の受信機や、デジタル変調を利用した通信機にも適用可能である。
【００１３】
各フロントエンド(1)(3)は、チューナ(9)(11)及びＯＦＤＭ(Orthogonal Frequency Division Multiplex)復調部(13)(15)を含んでいる。チューナ(9)(11)は、アンテナ(5)(7)を介して受信した放送波から目的の物理チャンネル(マルチキャリア)を選択し、各キャリアの受信信号を中間周波数(ＩＦ)信号に変換して、ＯＦＤＭ復調部(13)(15)に出力する。なお、２つのチューナ(9)(11)は、同一チャンネルを選択する。
【００１４】
図２は、ＯＦＤＭ復調部(13)の詳細を示すブロック図である(ＯＦＤＭ復調部(15)も同様な構成を有する)。ＯＦＤＭ復調部(13)に入力されたＩＦ信号は、内蔵されたアナログ/デジタル変換部(71)にてデジタル化されて、直交復調部(73)にて直交復調される。ガードインターバル除去部(75)では、直交復調された信号からガードインターバル部分が取り除かれて、有効シンボル部分が取り出される。ＦＦＴ処理部(77)では、ＦＦＴ(Fast Fourier Transform)により有効シンボル部分が復調される。イコライザ部(79)では、ＦＦＴ処理部(77)から出力された復調信号に波形等化処理が施される。
【００１５】
各フロントエンド(1)(3)から出力された復調信号は、合成/選択部(17)に送られる。合成/選択部(17)では、これらフロントエンド(1)(3)から出力された復調信号の最大比合成が、又は受信状態の良い復調信号の選択が行われる。合成/選択部(17)から出力された復調信号には、デインタリーバ部(19)にて、周波数デインタリーブ処理及び時間デインタリーブ処理等が施された後、ビタビ復号部(21)にてビタビ復号処理が、さらにはＲＳ復号部(23)にてリードソロモン復号処理が施される。ビタビ復号部(21)、さらにはＲＳ復号部(23)にて復調信号にエラー訂正処理がなされると、ＭＰＥＧ−ＴＳ(Transport Stream)が生成される。
【００１６】
ＲＳ復号部(23)から出力されたＭＰＥＧ−ＴＳは、ＤＥＭＵＸ部(25)にて、映像信号と音声信号とに分離されてＡＶデコーダ部(27)に送られる。ＡＶデコーダ部(27)にて、映像信号及び音声信号が夫々デコードされると、映像信号は、ＯＳＤ部(29)にてオンスクリーンデータが付与された後に、映像表示部(31)にて再生される。映像表示部(31)には、例えばＬＣＤ(液晶表示装置)が用いられる。一方、音声信号は、デジタル/アナログ変換部(33)にてアナログ化された後、アッテネータ(35)に送られる。アッテネータ(35)では、後述するように音声信号の音量レベルが調整される。アッテネータ(35)から出力された音声信号は、パワーアンプ(37)で増幅された後にスピーカ(39)に送られて、音声がスピーカ(39)から出力される。
【００１７】
上述の構成要素に加えて、受信機には、各種制御及び処理に必要な演算を行うＣＰＵ(41)と、ＣＰＵ(41)の演算に用いるデータが一時的に記憶されるＲＡＭ(43)と、後述する音量レベル調整を含む、ＣＰＵ(41)が実行する制御及び処理のプログラムが記憶されたＲＯＭ(45)と具えている。また、受信機には、受信チャンネル選択用のアップキー及びダウンキーと、音声出力調整用のアップキー及びダウンキーと、電源キー等とを含む操作部(47)が、さらには、それらと同様なキーを有するリモートコントローラ(図示せず)から送られる赤外線信号を受光して、コマンドをＣＰＵ(41)に送るリモコン受信部(49)が設けられている。
【００１８】
ビタビ復号部(21)では、ビタビ復号後のＢＥＲ(エラービット数/伝送ビット数)が計算される。ビタビ復号部(21)から得られたＢＥＲに基づいて、ＣＰＵ(41)は、どのフロントエンド(1)(3)から出力された復調信号を採用するかを合成/選択部(17)に指示する。さらに、ＣＰＵ(41)は、以下に詳述するように、ＢＥＲに基づいて、アッテネータ(35)を制御し、音声信号の音量レベルを調整する。本実施例では、ビタビ復号後のＢＥＲに基づいて音量レベルの調整が行われるが、リードソロモン復号後のＢＥＲ、又はビタビ復号前のＢＥＲに基づいて音量レベルの調整が行われてもよい。さらに、本実施例の受信機では、アッテネータ(35)を用いて音量レベルの調整が行われているが、ＣＰＵ(41)によりデジタル/アナログ変換部(33)が制御されることにより、アッテネータ(35)を用いずに音量レベルの調整が行われてもよい。
【００１９】
さらに、受信機には、マイクロホン(51)と、このマイクロホン(51)用のアンプ(53)と、アナログ/デジタル変換部(55)とが設けられている。これらは、受信機(の本体部)の周囲の、言い換えると車内の雑音レベルを得るために設けられている。マイクロホン(51)は、周囲の音声を検出して音声信号を生成する。生成された音声信号はアンプ(53)にて増幅された後、アナログ/デジタル変換部(55)でデジタル化される。エコーキャンセラ(57)は、アナログ/デジタル変換部(55)から送られる音声信号から、ＡＶデコーダ部(27)から送られる音声信号をキャンセルする処理を行う。この処理によって、受信機の周囲、即ち車内の雑音レベルが得られる。上述した音量レベルの調整において、得られた雑音レベルに基づいた処理が行われるが、この点については後述する。
【００２０】
次に、本実施例の受信機にて行われる音量レベル調整について説明する。図３(a)は、受信した放送波を復調した際のＢＥＲの、具体的にはビタビ復号部(21)で計算されたＢＥＲの時間変化の一例を示すグラフである。縦軸は対数表示になっており、ＢＥＲは、上向きに大きく(悪く)なっている。図３(b)は、図３(a)のようにＢＥＲが時間変化した場合における、アッテネータ(35)から出力される音声信号の音量レベルの時間変化を示している。音量レベルは上限値Ｌ１と、下限値Ｌ２との間で変化をし、通常状態、即ち受信が良好に行われている場合、音量レベルは上限値Ｌ１で一定にされる。また、音量レベルは、下限値Ｌ２を超えて低下することはない。
【００２１】
図３(a)には、閾値Ｂ１が破線で示されている。この閾値Ｂ１は、エラー頻度の増加によって、意味の無いデータがＡＶデコーダ部(27)から出力されることに起因して、音声信号が不連続になり、さらにはスピーカ(39)の出力音声が時折過大な音量になるＢＥＲ値よりも若干小さい値であって、１０-3のオーダーである。ＢＥＲが閾値Ｂ１未満であると、音量レベルは上限値Ｌ１で一定であるが、ＢＥＲが増加して、時間ｔ１にて閾値Ｂ１を超えると、音量レベルは、所定の時定数に基づいて減少する。図３(b)では、音量レベルが時定数Ｔ１で減少するケースと、時定数Ｔ３で減少するケースとが示されている。ここで、時定数とは、一般的な定義のように、音量レベルの変化時の傾斜(本実施例では一定)を維持して、上限値Ｌ１から下限値Ｌ２に至る時間である。音量レベルは、時定数Ｔ３は時定数Ｔ１よりも小さく、この場合、音量レベルはより速く減少する。下限値Ｌ２に至ると、音量レベルは、(ＢＥＲが閾値Ｂ１未満にならない限り)一定に維持される。
【００２２】
図４(a)は、ＢＥＲの時間変化の一例を示すグラフであり、図４(b)は、図４(a)のようにＢＥＲが時間変化した場合における、音声信号の音量レベルの時間変化を示している。図４(a)は、図３(a)のように閾値Ｂ１を超えてＢＥＲが悪化した状態が継続した後に、受信状態が改善して、ＢＥＲが低下する模様を示している。図４(b)に示すように、音量レベルは下限値Ｌ２で一定になっており、ＢＥＲが低下して時刻ｔ２にて閾値Ｂ１未満になると、所定の時定数で増加する。図４(b)では、音量レベルが時定数Ｔ２で増加するケースと、時定数Ｔ４で増加するケースとが示されている。時定数Ｔ４は時定数Ｔ２より小さく、この場合、音量レベルはより速く増加する。ここで、時定数とは、一般的な定義のように、音量レベルの変化時の傾斜(本実施例では一定)を維持して、下限値Ｌ２から上限値Ｌ１に至る時間である。上限値Ｌ１に至ると、音量レベルは、(ＢＥＲが閾値Ｂ１を超えない限り)一定に維持される。
【００２３】
音量レベルは、ＢＥＲが閾値Ｂ１を超えた状態にある間、所定の時定数で低下し、下限値Ｌ２に至ると一定になる。また、ＢＥＲが閾値Ｂ１を超えた状態から、閾値Ｂを下回る状態になると、その間、音量レベルは、所定の時定数で増加して、下限値Ｌ１に至ると一定になる。なお、ＢＥＲが閾値Ｂを下回る状態になると、(下限値Ｌ２に至っているか否かに関係なく)その時点の値から、音量レベルは即時に増加する。また、ＢＥＲが閾値Ｂを上回る状態になると、(下限値Ｌ１に至っているか否かに関係なく)その時点の値から、音量レベルは即時に低下する。
【００２４】
また、図３(b)及び図４(b)において、音量レベルは、例えば音声信号の電圧(Ｖ)に相当しているが、図３(b)及び図４(b)において、音量レベルがデジベルで示されているとしても、本実施例の受信機において、本発明の効果は達成される。
【００２５】
図５(a)は、ＢＥＲの時間変化の一例を示すグラフであり、図５(b)は、図５(a)のようにＢＥＲが時間変化した場合において、従来技術を用いて調整された音量レベルを示している。この従来技術では、ＢＥＲが閾値Ｂ１以下であると、音量レベルを上限値Ｌ１にし、ＢＥＲが閾値Ｂ１を越えると、音量レベルを下限値Ｌ２にするような調整がなされている。図５(c)は、図３(a)及び図３(b)と、図４(a)及び図４(b)とを用いて説明した実施例に対応しており、図５(a)のようにＢＥＲが時間変化した場合において、音量レベルは、ＢＥＲが閾値Ｂ１を超えると時定数Ｔ１に基づいて減少し、ＢＥＲが閾値Ｂ１未満になると時定数Ｔ２に基づいて増加する。
【００２６】
図５(a)に示すように、時間ｔ３にて、ＢＥＲが閾値Ｂ１を超えると、図５(b)に示すように従来技術では、音量レベルは、上限値Ｌ１から下限値Ｌ２に不連続に変化する。一方、本発明の実施例では、図５(c)に示すように、音量レベルは、時定数Ｔ１で緩やかに低下して下限値Ｌ２に至る。その後、受信状態が改善して、時間ｔ４にて、ＢＥＲが閾値Ｂ１未満になると、従来技術では、音量レベルは、下限値Ｌ２から上限値Ｌ１に不連続に上昇する。一方、本発明の実施例では、時定数Ｔ１よりも小さな時定数Ｔ２で、音量レベルは緩やかに上昇する。音量レベルの下限値Ｌ２は、通常、出力音声がユーザに認識されない程度に設定される。従来技術の場合、時間ｔ３からｔ４の間、音量レベルが下限値Ｌ２に維持されて、音声がユーザに提供されないが、本発明の実施例の場合、図５(c)から理解されるように、そのような期間は短くなっている。
【００２７】
図５(a)に示すように、時間ｔ４の後、受信状態が悪化して、時間ｔ５にて、ＢＥＲが閾値Ｂ１を再び超えると、図５(c)に示すように、本発明の実施例では、音量レベルは、上限値Ｌ１に至らずに、時定数Ｔ１で減少して下限値Ｌ２に至る。その後、受信状態が改善して、時間ｔ８にて、ＢＥＲが閾値Ｂ１未満になると、音量レベルは、時定数Ｔ２で上昇して上限値Ｌ１に至る。
【００２８】
本発明では、上記の閾値Ｂ１のような閾値が複数設定されて、さらに各閾値に応じて時定数が設定されてもよい。図５(d)にて音量レベルの時間変化を示した実施例では、閾値Ｂ１に加えて、それより小さい閾値Ｂ２が設定されており、ＢＥＲが閾値Ｂ２を超えると、時定数Ｔ１より小さい時定数Ｔ３(図３(b)参照)で減少し(時定数Ｔ１の場合よりも、より急に減少するように)、ＢＥＲが低下して、閾値Ｂ２未満になると、時定数Ｔ２より小さい時定数Ｔ４(図４(b)参照)で増加するように(時定数Ｔ２の場合よりも、より急に増加するように)、音量レベルは調整されている。
【００２９】
図５(a)に示す例では、時間ｔ６にて、ＢＥＲが閾値Ｂ２を超えている。図５(d)に示す音量レベルは、時間ｔ６までは、図５(c)と同様に変化するが、時間ｔ６以降、時定数Ｔ３で減少して下限値Ｌ２に至る。時定数Ｔ３は、時定数Ｔ１よりも小さいことから、音量レベルは、図５(c)に示す場合よりも、時間Δｔ１だけ早く下限値Ｌ２に達する。その後、受信状態が改善して、時間ｔ７にて、ＢＥＲが閾値Ｂ２未満になると、音量レベルは、時定数Ｔ４で上昇する。そして、時間ｔ８にてＢＥＲが閾値Ｂ１未満になると、音量レベルは、時定数Ｔ２で上昇する。結果として、音量レベルは、図５(c)に示す場合よりも、時間Δｔ２だけ早く、上限値Ｌ１に復帰している。このように、図５(d)にて音量レベルの変化を示した、複数の閾値が設定された実施例では、受信状態の悪化が顕著になると、図５(c)に示す実施例と比較して音量レベルがより迅速に増減しており、不快な音声が出力される場合に音量はより早く減少し、受信状態が改善されると音量はより早く復帰する。なお、音量が小さい状態において音量の変化を急にしているので、変化の急速化によりユーザへの影響はほとんど存在しない。
【００３０】
図５(d)にて音量レベルの変化を示した実施例では、２つの閾値Ｂ１及びＢ２が設定されているが、本発明において、設定される閾値の数は特に制限されず、その各々の閾値に対応して、音量レベルの変化に関した時定数が設定されてよい。音量レベルを減少させる際の時定数は、対応する閾値の増加に応じて小さくなるように設定されるのが好ましく、音量レベルを増加させる際の時定数も同様に設定されるのが好ましい。さらに、ある閾値について、音量レベルを増加させる際の時定数は、音量レベルを減少させる際の時定数よりも大きいことが好ましい。
【００３１】
先に説明した何れかの実施例では、受信機の周囲の雑音レベルに応じて、下限値Ｌ２が変化することが好ましい。車両の走行環境が変化すると、周囲、即ち車内の雑音レベルも変化する。故に、周囲が騒々しくて雑音レベルが高い場合、下限値Ｌ２を高くし、周囲が静かで雑音レベルが低い場合、下限値Ｌ２を低くすることで、状況に応じた音量調整が行える(例えば、雑音レベルが高い場合に、下限値Ｌ２を低くすることは、過剰に音量を絞ることになって無意味又は無駄である)。例えば、ＣＰＵ(41)は、エコーキャンセラ(57)で求められた雑音レベルの移動平均を算出して、その移動平均が増加すると、下限値Ｌ２を上昇させ、移動平均が低減すると、下限値Ｌ２を低下させる。下限値Ｌ２が変化しても、音量レベルの変化の時定数は一定にされる。例えば、音量レベルが減少する際の時定数は、上限値Ｌ１から、基準とする(例えば標準状態の)ある下限値Ｌ２まで音量レベルが減少する時間とされ、音量レベルが増加する際の時定数は、このような下限値Ｌ２から、上限値Ｌ１まで音量レベルが増加する時間とされる。なお、音量レベルが増減する際に、下限値Ｌ２の変化に応じて時定数を変化させてもよい。
【００３２】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００３３】
【図１】本発明の実施例であるデジタル放送受信機の概要を示すブロック図である。
【図２】本発明のデジタル放送受信機のＯＦＤＭ復調部を示すブロック図である。
【図３】図３(a)は、ＢＥＲの時間変化の一例を示すグラフである。図３(b)は、図３(a)のようにＢＥＲが時間変化した場合における、本発明のデジタル放送受信機に係る音量レベルの時間変化を示している。
【図４】図４(a)は、ＢＥＲの時間変化の一例を示すグラフである。図４(b)は、図３(a)のようにＢＥＲが時間変化した場合における、本発明のデジタル放送受信機に係る音量レベルの時間変化を示している。
【図５】図５(a)は、ＢＥＲの時間変化の一例を示すグラフである。図５(b)は、図５(a)のようにＢＥＲが時間変化した場合における、従来のデジタル放送受信機に係る音量レベルの時間変化を示している。図５(c)及び図５(d)は、図５(a)のようにＢＥＲが時間変化した場合における、本発明のデジタル放送受信機に係る音量レベルの時間変化を示している。
【符号の説明】
【００３４】
(1)     フロントエンド
(3)     フロントエンド
(13)    ＯＦＤＭ復調部
(15)    ＯＦＤＭ復調部
(21)    ビタビ復号部
(27)    ＡＶデコーダ部
(35)    アッテネータ
(39)    スピーカ
(41)    ＣＰＵ
(51)    マイクロホン
【図１】
2006324711.tif 000003
【図２】
2006324711.tif 000004
【図３】
2006324711.tif 000005
【図４】
2006324711.tif 000006
【図５】
2006324711.tif 000007